(57)【要約】【課題】従来の情報表示システムは、１画面（１コンテンツ）単位の表示更新のため更新箇所を強調表示したり表示項目を自由に設定できないという問題点があったが、本発明は、利用者が情報データ表示箇所に表示する内容を設定でき、各情報データ表示箇所の内容をリアルタイムに更新表示することができ、更に更新のあった項目を利用者に更新発生を強調して効果的に知らしめることができる情報表示システムを提供する。【解決手段】情報表示装置１において表示中のコンテンツ内の情報データ表示箇所に対応する各株価・指標表示プログラム１３ｂを起動して、予め設定された項目に関する記憶されている情報データを表示し、情報データの更新を検出すると最新の情報データに表示を更新する情報表示システムである。【選択図】        図１
2004164460.tif 000002
【特許請求の範囲】
【請求項１】
複数のコンテンツ及び前記各コンテンツ内の変化する情報を表示する情報データ表示箇所に対応して情報データを表示する表示プログラム及び前記コンテンツを切り替えて表示する表示スケジュールを登録し提供するサーバ装置と、
外部データサーバから最新の情報データを取得して記憶し、前記サーバ装置から複数のコンテンツ及び表示プログラム及び表示スケジュールの提供を受け、前記表示スケジュールに従って前記複数のコンテンツを切り替えて表示し、表示中のコンテンツ内の情報データ表示箇所に対応する各表示プログラムを起動して、予め設定された項目に関する前記記憶されている情報データを表示し、前記各表示プログラムを以降定期的に起動して、前記各表示プログラムによって情報データの更新を検出すると最新の情報データに表示を更新する情報表示装置とを備えることを特報とする情報表示システム。
【請求項２】
情報表示装置が、各表示プログラムによって情報データの更新を検出すると最新の情報データに表示を更新すると共に点滅表示する情報表示装置であることを特徴とする請求項１記載の情報表示システム。
【請求項３】
各表示プログラムによって行う点滅表示の点滅周期制御と、表示プログラムの起動周期制御とを共通のタイマーに基づいて行うことを特徴とする請求項２記載の情報表示システム。
【発明の詳細な説明】
【０００１】
【発明の属する技術分野】
本発明は、インターネット等を介して配信される番組（コンテンツ）に従って、指標・株式銘柄データ等を表示する情報表示システムに係り、特に表示中のコンテンツ内の情報をリアルタイムに更新表示できる情報表示システムに関する。
【０００２】
【従来の技術】
従来、インターネットを利用して、株価、為替、指標データ、及びこれらに関連するニュース等の時間経過に伴って変化する情報を配信する情報配信システムが知られている。
初期の頃の情報配信システムにおいては、これら変化する情報を含むページ等がウェブサーバに格納されており、ユーザの端末のブラウザにより当該ウェブサーバにアクセスし、該当するページの送信を要求することにより、ウェブサーバが該当するページを端末に送信し、当該端末のブラウザがディスプレイ等の表示装置にページを表示する。
【０００３】
そして、当該ページ内で更新される最新の情報を表示したい場合には、ユーザがブラウザにより表示される「更新ボタン」或いは「再読み込みボタン」等を押下して、ウェブサーバに該当するページの再送信を要求することにより、ウェブサーバが該当するページの最新情報を端末に再送信し、これによって、ユーザは、最新の情報を得ることができるものであった。
【０００４】
しかしながら、上記初期の情報配信システムでは、最新の情報を得るためには、ユーザ操作によって端末のブラウザから頻繁にウェブサーバにページを再読み込みに行かなければならず、ユーザ操作が面倒で、使い勝手が悪いという問題点があった。
【０００５】
そこで、上記問題点を解決する方法として、ウェブサーバに格納されているページに、所定の間隔毎にウェブサーバにページの送信を要求させるプログラムを含める方法が知られている。
即ち、ユーザの端末のブラウザからウェブサーバの該当するページの提供を受けて表示すると、以降は、ページ内のプログラム動作により、所定の間隔毎にウェブサーバへの再読込が行われ、ユーザ操作を行うことなく、最新の情報を含むページが表示されるものである。
【０００６】
しかしながら、プログラムにより再読込を行うシステムでは、端末が所定の時間毎に、例え情報が更新されていなくとも再読込を行って情報を含むページが送信されて表示されるので、端末の負担、ウェブサーバの負担、ネットワークにおける負荷が増大するという問題点があった。
【０００７】
また、クライアントに対して情報をリアルタイムで送信するディーリングシステムが知られているが、このディーリングシステムでは、クライアントとして、専用のアプリケーション及び端末を使っており、管理及び維持にコストがかかる。更に、予め設定されたクライアントに対してしか情報を送信することができないという問題が生じる。
【０００８】
そこで、上記説明したウェブサーバへ頻繁に再読込を行う情報配信システムにおける、端末、ウェブサーバ、ネットワークにおける負荷の増大という問題点を解決する方法として、ページの中に例えばＣＧＩ（ｃｏｍｍｏｎ  ｇａｔｅｗａｙ  ｉｎｔｅｒｆａｃｅ）機能を組み込み、ウェブサーバから定期的に最新情報を送信し、端末側に最新情報を記憶しておき、端末上のプログラムが定期的にウェブサーバから提供されたページ及び記憶している情報を組み合わせて表示する情報表示システムがある。
【０００９】
上記従来の情報表示システムの具体的構成例について、図１４を使って説明する。図１４は、従来の情報表示システムの構成例を示すブロック図である。
従来の情報表示システムは、コンテンツ番組及び株式・指標等の情報データを配信するサーバ装置２′と、株式・指標等の最新の情報データを提供する外部データサーバ３と、株式・指標等の情報コンテンツを表示する情報表示装置１′とから構成され、これら構成がインターネットやイントラネットといった情報網４で接続されているものであった。
【００１０】
従来の情報表示システムの各部について説明する。
外部データサーバ３は、時々刻々変化する株式・指標等の最新データを保持し、外部からの要求に応じて最新データを提供するデータサーバである。
サーバ装置２′は、ウェブサーバの機能を有しており、予めコンテンツ番組及び表示スケジュール等を登録し、情報表示装置１′からの要求に応じて登録されているコンテンツ番組及び表示スケジュール等を提供し、一定の更新間隔を設けて、外部データサーバ３から株式・指標等の情報データを取得し、その情報データを各情報表示装置１′に配信するものである。
【００１１】
ここで、従来のサーバ装置２′におけるデータ配信処理の具体例について、図１５を使って説明する。図１５は、従来のサーバ装置２′のデータ配信処理を示すフローチャート図である。
従来のサーバ装置２′におけるデータ配信処理は、予め定めた更新間隔に従う取得時間になったか判断し（５００）、取得時間になったら（Ｙｅｓ）、外部データサーバ３から株式・指標等の最新の情報データを取得し（５０２）、取得したデータに更新された情報があるか判断し（５０４）、ある場合には（Ｙｅｓ）、株式・指標等のデータを情報表示装置１′に配信し（５０４）、データ配信処理を終了していた。
【００１２】
情報表示装置１′は、ブラウザ機能を有し、インターネット・イントラネット等の情報網４を介してサーバ装置２′にアクセスしてコンテンツ番組及び表示スケジュール等の提供を受け、更に提供された表示スケジュールに従ってコンテンツ番組を切り替えて表示するものである。
尚、情報表示装置１′では、サーバ装置２′から一定の更新間隔で配信される最新の株式・指標等のデータを受信して記憶しておき、表示スケジュールに従ってコンテンツ番組を切り替えて表示する際に、表示対象のコンテンツ内に株式・指標データがある場合に、記憶している最新データに置き換えてコンテンツを表示するようになっていた。
【００１３】
ここで、従来の情報表示装置１′におけるコンテンツ表示処理の具体例について、図１６を使って説明する。図１６は、従来の情報表示装置１′のコンテンツ表示処理を示すフローチャート図である。
従来の情報表示装置１′におけるコンテンツ表示処理は、サーバ装置２′から提供された表示スケジュールに従ってコンテンツ番組を切り替える時に起動され、表示対象のコンテンツについて、株式・指標データがあるか判断し（６００）、株式・指標データがある場合に（Ｙｅｓ）、コンテンツ内の株式・指標データを記憶している最新データに置き換えて（６０２）、コンテンツ表示を行う（６０４）ようになっていた。
【００１４】
従来の情報表示システムの動作について、図１７、１８を使って具体例をあげながら説明する。図１７は、従来の情報表示システムで最新データを表示させる部分の流れを示す説明図であり、図１８は、スケジュールに従うコンテンツ切替の場合の具体例を示す説明図である。
従来の情報表示システムでは、サーバ装置２′で予めコンテンツ番組及び表示スケジュール等を登録しておき、情報表示装置１′からインターネット・イントラネット等の情報網４を介してサーバ装置２′にアクセスしてコンテンツ番組及び表示スケジュール等の提供を受け、表示スケジュールに従ってコンテンツ番組を切り替えて表示する。
【００１５】
そして、サーバ装置２′では、図１７に示すように、予め設定された時間間隔で、外部データサーバ３から株式・指標等の最新データを取得し、その都度又は更新があった場合に、最新データを各情報表示装置１′に配信し、各情報表示装置１′で最新の株式・指標等のデータとして記憶しておく。
【００１６】
各情報表示装置１′では、表示スケジュールに従うコンテンツ番組切り替えの際に、次のコンテンツ表示のタイミングで、コンテンツ内の株式・指標データを記憶している最新のデータで置き換えてから、表示するようになっている。
【００１７】
上記従来の情報表示システムでは、情報表示装置１′がサーバ装置２′から最新の株式・指標データを受け取っても、現在表示中のコンテンツには最新のデータが反映されず、次の表示タイミングまでは更新されないことになるので、コンテンツの表示切替までの間隔が長ければ長いほど最新データが表示されるタイミングが遅くなる。
【００１８】
具体例で説明すると、図１８に示すように、コンテンツ１〜６は１分表示のコンテンツで、最後に株式・指標データを表示する株式・指標コンテンツを１０分間表示するような表示スケジュールが組まれていた場合を考える。
ケース１として、例えば、コンテンツ１〜６の表示中に、最新データを受信したとすると、項番７の株式・指標コンテンツ表示の際に最新データが表示されるが、ケース２として、項番７の株式・指標コンテンツ表示中に、最新データを受信したとすると、現在表示中のものは更新されず旧データのままで、１周循環してきて次に株式・指標コンテンツを表示する際に最新データが表示されることになる。
【００１９】
尚、端末、ウェブサーバ、ネットワークにおける負荷を軽減する方法として、ページ及びプログラムなどを提供するウェブサーバと、刻々変化する情報を提供するデータサーバとを別々に設け、端末は、ウェブサーバから提供されたプログラムを用いてデータサーバから情報を取得し、ウェブサーバから提供されたページ及びデータサーバから取得した情報を組み合わせて表示する情報表示システムが提案されている。
【００２０】
例えば、平成１３年５月２５日公開の特開２００１−１４２８２４「情報配信システム、情報配信サーバ、及び記録媒体」（出願人：株式会社シーエスケイ、発明者：田中  聡一郎他）では、ウェブサーバからページ及びプログラムを端末に提供し、端末では、提供されたプログラムが動作して情報を配信する情報配信サーバに接続して情報を取得し、ウェブサーバからのページ情報に取得した情報を組み込んで表示し、以降、情報の更新があると、情報配信サーバから更新情報が端末に送信されて、表示中のページで情報が更新されて表示される情報配信システムであり、これにより、時間変化に伴って変化する情報を容易、適切且つ迅速に送信できるものである。（特許文献１参照）。
【００２１】
また、別の例として、平成１２年１月７日公開の特開２０００−３３０１「情報提供システム及び情報提供方法」（出願人：日本電信電話株式会社、発明者：竹内  格他）では、サーバの情報コンテンツ配信プログラムが端末に対してデータの見出しとＵＲＬアドレスとクライアントプログラムとを配信し、端末でクライアントプログラムを動作させて見出しを表示し、更に詳細を表示する場合には、情報提供サーバに接続して詳細情報を取得して表示する情報提供システムであり、これにより、ネットワーク負荷を軽減し、サーバにおけるコンテンツ作成・管理負荷を軽減し、端末におけるプログラム管理負荷を軽減できるものである。
（特許文献２参照）。
【００２２】
また、ＷＷＷ技術を使った閲覧画面における情報のリアルタイム更新に関する提案として、平成１３年５月１１日公開の特開２００１−１２５６２８「システム監視装置及びその記録媒体」（出願人：日本酸素株式会社、発明者：吉川  浩史）では、表示構成要素毎に、情報が更新される周期に応じて設定されたタイミングで情報を取得するプログラムを組み込み、当該各タイミングで更新される情報を合成して１つの表示領域に表示するシステム監視装置であり、これにより、常に変化している情報と変化しない情報を効率的に合成して表示させ、リアルタイムにシステム監視ができるものである。（特許文献３参照）。
【００２３】
【特許文献１】
特開２００１−１４２８２４号公報（第４−９頁）
【特許文献２】
特開２０００−３３０１号公報（第４−６頁）
【特許文献３】
特開２００１−１２５６２８号公報（第３−７頁）
【００２４】
【発明が解決しようとする課題】
しかしながら、従来の情報表示システムでは、１画面（１コンテンツ）単位の表示更新であって、情報表示装置１′側で更新のあった項目（箇所）が認識できず、強調表示を行うことができないという問題点があった。
また、サーバ装置から提供されるコンテンツが１画面単位であったので、各情報データ表示箇所に表示される内容が固定であり、利用者が情報データ表示箇所に表示する項目を自由に設定することができないという問題点があった。
【００２５】
本発明は上記実情に鑑みて為されたもので、利用者が情報データ表示箇所に表示する内容を設定でき、各情報データ表示箇所の内容をリアルタイムに更新表示することができ、更に更新のあった項目を利用者に更新発生を強調して効果的に知らしめることができる情報表示システムを提供することを目的とする。
【００２６】
【課題を解決するための手段】
上記従来例の問題点を解決するための本発明は、情報表示システムにおいて、複数のコンテンツ及び各コンテンツ内の変化する情報を表示する情報データ表示箇所に対応して情報データを表示する表示プログラム及びコンテンツを切り替えて表示する表示スケジュールを登録し提供するサーバ装置と、
外部データサーバから最新の情報データを取得して記憶し、サーバ装置から複数のコンテンツ及び表示プログラム及び表示スケジュールの提供を受け、表示スケジュールに従って複数のコンテンツを切り替えて表示し、表示中のコンテンツ内の情報データ表示箇所に対応する各表示プログラムを起動して、予め設定された項目に関する記憶されている情報データを表示し、各表示プログラムを以降定期的に起動して、各表示プログラムによって情報データの更新を検出すると最新の情報データに表示を更新する情報表示装置とを備えるものであり、利用者が情報データ表示箇所に表示する内容を設定でき、各情報データ表示箇所の内容をリアルタイムに更新表示することができる。
【００２７】
上記従来例の問題点を解決するための本発明は、上記情報表示システムにおいて、情報表示装置が、各表示プログラムによって情報データの更新を検出すると最新の情報データに表示を更新すると共に点滅表示するものであり、更新のあった項目を点滅表示して利用者に更新発生を強調して効果的に知らしめることができる。
【００２８】
上記従来例の問題点を解決するための本発明は、上記情報表示システムにおいて、各表示プログラムによって行う点滅表示の点滅周期制御と、表示プログラムの起動周期制御とを共通のタイマーに基づいて行うものであり、点滅表示制御のための負荷を軽減できる。
【００２９】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００３０】
本発明に係る情報表示システムは、サーバ装置が複数のコンテンツ及び各コンテンツ内の変化する情報を表示する情報データ表示箇所に対応して情報データを表示する表示プログラム及びコンテンツを切り替えて表示する表示スケジュールを登録し、情報表示装置からの要求に応じて提供し、情報表示装置が、外部データサーバから最新の情報データを取得して記憶し、サーバ装置から提供された表示スケジュールに従って複数のコンテンツを切り替えて表示し、表示中のコンテンツ内の情報データ表示箇所に対応する各表示プログラムを起動して予め設定された項目に関する記憶されている情報データを表示し、各表示プログラムを以降定期的に起動して、各表示プログラムによって情報データの更新を検出すると最新の情報データに表示を更新し、点滅表示するものなので、利用者が情報データ表示箇所に表示する内容を設定でき、各情報データ表示箇所の内容をリアルタイムに更新表示することができ、更に更新のあった項目を点滅表示して利用者に知らしめることができるものである。
【００３１】
本発明の実施の形態に係る情報表示システムの概略構成について、図１を使って説明する。図１は、本発明の情報表示システムの概略構成例を示すブロック図である。
本発明の実施の形態に係る情報表示システムは、図１に示すように、大きくコンテンツ番組及び表示スケジュール等を配信するサーバ装置２と、株式・指標等の最新データを提供する外部データサーバ３と、株式・指標等の情報コンテンツを表示する情報表示装置１とから構成され、これら構成がインターネットやイントラネットといった情報網４で接続されているものである。
【００３２】
本発明の情報表示システムの各構成について説明する。
本発明のサーバ装置２は、株式・指標等の情報を表示するためのコンテンツを提供する装置であり、予めコンテンツ番組及び表示スケジュール等を登録し、情報表示装置１からの要求を受けてコンテンツ番組及び表示スケジュール等を提供するものである。
インターネットやイントラネットを介してコンテンツを提供することを前提とする場合には、ウェブサーバとも呼ばれるものである。
尚、実際にサーバ装置２を実現する装置としては、ＰＣ（Ｐｅｒｓｏｎａｌ  Ｃｏｍｐｕｔｅｒ）、ＷＳ（Ｗｏｒｋ  Ｓｔａｔｉｏｎ）等が考えられる。
【００３３】
具体的にサーバ装置２は、図１に示すように、コンテンツや表示スケジュール等を入力するコンテンツ入力プログラム２１と、入力されたコンテンツや表示スケジュール等を編集して管理するデータ管理プログラム２２と、入力・編集されたコンテンツデータや表示スケジュールデータ等を記憶する作成データ２３と、要求に応じてコンテンツや表示スケジュール等を配信する配信プログラム２４とから構成されている。
【００３４】
ここで、本発明の特徴部分として、サーバ装置２のコンテンツ入力プログラム２１から入力するコンテンツとしては、株式・指標等の情報を表示する表示画面のフォーマット（コンテンツ画面）に加えて、変化する情報を表示する情報データ表示箇所毎に表示制御を行う表示プログラム（株式・指標表示プログラム）を組み込んだコンテンツである点が、従来の情報表示システムとは異なっている。
【００３５】
外部データサーバ３は、従来の外部データサーバ３と同様で、時々刻々変化する株式・指標等の最新データを保持し、外部からの要求に応じて最新データを提供するデータサーバである。尚、図１では、外部データサーバ３が情報表示装置１に直接接続するように示しているが、インターネット、イントラネットなどの情報網４を介して接続し、データを提供するようにしても構わない。
【００３６】
情報表示装置１は、外部データサーバから最新の情報データを取得して記憶し、従来と同様にブラウザ機能を有し、インターネット・イントラネット等の情報網４を介してサーバ装置２にアクセスしてコンテンツ番組及び表示スケジュール等の提供を受け、更に提供された表示スケジュールに従ってコンテンツ番組を切り替えて循環表示するものである。
【００３７】
そして、本発明の情報表示装置１の特徴として、コンテンツ中の情報データ表示箇所に対して具体的な株式・指標データの種類（項目）や表示属性などをパラメータとして設定し、設定された項目の株式・指標データを外部データサーバ３から取得して記憶しておく。
そして、表示スケジュールに従ってコンテンツ番組を切り替えて表示する際に、表示中のコンテンツ内の各情報データ表示箇所に対応する株式・指標表示プログラムが、上記記憶している株式・指標等のデータを情報データ表示箇所に表示し、以降定期的に株式・指標表示プログラムが起動されて、表示プログラムによって情報データの更新を検出すると最新の情報データに置き換えてリアルタイムに更新しながらコンテンツ内に表示するようになっていた。
【００３８】
具体的に情報表示装置１は、図１に示すように、サーバ装置２から配信された表示スケジュールに従ってコンテンツの切替を制御するスケジュールプログラム１１と、サーバ装置２に接続し、コンテンツなどを受け取り、コンテンツの表示を行うブラウザ１２と、サーバ装置２から配信されたコンテンツ１３と、外部データサーバ３から株式・指標等の最新データを取得する外部データ取得プログラム１４と、外部データ取得プログラム１４が取得した株式・指標等の最新データを記憶する外部取得データ１５とから構成されている。
【００３９】
尚、スケジュールプログラム１１及び外部データ取得プログラム１４は、サーバ装置２から配信されるようにしても良いし、予め情報表示装置１に備えておくようにしても構わない。
【００４０】
そして、サーバ装置２から配信されたコンテンツ１３は、表示フォーマットを定義したコンテンツ画面１３ａと、画面内の変化する情報を表示する情報データ表示箇所１つ１つに対応付けられた株価・指標表示プログラム１３ｂとから構成されている。
尚、この株価・指標表示プログラム１３ｂが、請求項の表示プログラムに相当している。
【００４１】
そして、スケジュールプログラム１１によりサーバ装置２から配信された表示スケジュールに従って複数のコンテンツ１３が切り替えられて表示され、表示対象のコンテンツ１３は、ブラウザ１２を介してコンテンツ画面１３ａを表示し、コンテンツ画面内の各情報データ表示箇所に対応付けられた株価・指標表示プログラム１３ｂが動作して、予めユーザによって設定された表示する株式・指標データの種類（項目）や表示属性などのパラメータに従って、情報データ表示箇所毎に外部取得データ１５から最新の株式・指標等のデータを取得して、表示するようになっている。
【００４２】
具体例で説明すると、例えばコンテンツ１３がマーケット指標を提供するコンテンツであるとすると、図２に示すように、日経平均、ＴＯＰＩＸ、…等に関する現在値と前日比（比）の項目と、東証売上高について１部と２部の項目があるコンテンツ画面１３ａであり、変化する情報を表示する情報データ表示箇所（図で編みかけ部分）の１つ１つに対して株式・指標表示プログラム１３ｂが組み込まれている。図２は、本発明の株式・指標表示プログラム１３ｂが組み込まれ他コンテンツの具体例を示す説明図である。
【００４３】
ここで、コンテンツ画面１３ａは、ページと呼ばれ、ＨＴＭＬ（Ｈｙｐｅｒ  Ｔｅｘｔ  Ｍａｋｅｕｐ  Ｌａｎｇｕａｇｅ）形式で記述されており、株価・指標表示プログラム１３ｂは、ＪＡＶＡ（Ｒ）アプレット、ＪＡＶＡ（Ｒ）スクリプト、ＡｃｔｉｖｅＸコントロール、プラグイン等によって記述されることが多い。
【００４４】
次に、株価・指標表示プログラム１３ｂの具体的な構成例について、図３を使って説明する。図３は、株価・指標表示プログラム１３ｂのソフトウェア構成を示すブロック図である。
コンテンツ内の情報データ表示箇所１つ１つに対して組み込まれている各株価・指標表示プログラム１３ｂは、タイマー処理手段５０と描画処理手段５１とパラメータ５２とから構成されている。
【００４５】
株価・指標表示プログラム１３ｂ内の各部について説明する。
タイマー処理手段５０は、時間をカウントするタイマー（図示せず）に基づいて、予め設定された時間間隔により起動される処理手段で、例えばＯＳから呼び出されるサブルーチン処理である。
【００４６】
そして、タイマー処理手段５０内で起動されるサブルーチン処理としては、外部取得データ１５に記憶されている情報に更新が発生しているか確認する更新確認処理５０ａと、更新が発生した場合に点滅表示させる為のブリンク処理５０ｂとを具備している。
【００４７】
更新確認処理５０ａは、予め設定されている時間間隔で起動され、表示中の情報データに対して外部データ取得プログラム１４に記憶されている情報データが更新されているか判断し、更新されている場合に表示更新を行わせる制御をする処理である。更新確認処理５０ａの具体的な処理例の詳細は、後述する。
【００４８】
ブリンク処理５０ｂは、更新確認処理５０ａと同様の予め設定されている時間間隔で起動され、更新された情報データの点滅表示を行うために点滅周期の制御を行う処理である。ブリンク処理５０ｂの具体的な処理例の詳細は、後述する。
【００４９】
本発明の特徴として、更新確認処理５０ａとブリンク処理５０ｂとを同一の時間間隔で起動するため、タイマー処理手段５０において、共通の１つのタイマーによる起動制御で、２つの処理を動作させることができ、負荷の軽減に繋がる。
【００５０】
尚、本発明では、予め設定された時間間隔を１００ｍｓｅｃとして説明するが、これは、ブリンク処理５０ｂにおいて、目視により表示遅延が目立たない点滅間隔として、好適な間隔であることと、同時に複数の株価・指標表示プログラム１３ｂが動作することを考え、表示遅延の原因となる処理の負荷のバランスを考えて、好適な間隔として１００ｍｓｅｃとするが、これに限定するものではない。
【００５１】
描画処理手段５１は、表示するデータの編集を行いブラウザ１２に渡して表示させる手段であり、ＯＳからの描画イベントが発生した時に呼び出されるサブルーチンである。
実際には、タイマー処理手段５０からの表示指示がＯＳを介して表示要求イベントとして発生し、描画処理手段５１が起動され、表示編集を行って表示データをブラウザ１２に渡して表示させるようになっている。
【００５２】
パラメータ５２は、コンテンツ毎又は、コンテンツ内の情報データ表示箇所毎に、表示させる内容や表示属性などを記憶しているもので、その内容は、サーバ装置２におけるコンテンツ入力操作又は情報表示装置１におけるユーザの登録操作によって入力された内容が、パラメータとして記憶される。
【００５３】
パラメータの具体例としては、例えば、コンテンツ内の情報データ表示箇所毎のパラメータ例としては、図４に示すように、「銘柄番号」に表示させる銘柄を設定し、「項目番号」に表示させる現在値や前日比などの項目を設定し、「ブリンク」に更新時に点滅表示するか否かを設定する。図４は、本発明の株価・指標表示プログラム１３ｂ内のパラメータ例を示す説明図である。
【００５４】
また、パラメータは、情報データ表示箇所毎に設けても良いが、コンテンツ毎にまとめて登録、保持するようにしても良い。
コンテンツ毎にまとめて登録、保持する例としては、情報表示装置１で図５に示すような「株式（銘柄）登録画面」というＣＧＩを起動して、銘柄番号（情報データ表示箇所の番号）に対して表示を希望する銘柄コード、桁落し、表示色、騰落率等を入力すると、入力内容に従って図６に示すようなパラメータファイルが生成されてパラメータ５２に記憶される。図５は、本発明におけるパラメータ登録画面例を示す説明図であり、図６は、本発明のパラメータ例を示す説明図である。
尚、サーバ装置２においてパラメータが登録された場合には、コンテンツ配信と共にパラメータも配信されて、パラメータ５２に記憶される。
【００５５】
本発明の株価・指標表示プログラム１３ｂの概略動作について、図７を使って説明する。図７は、本発明の株価・指標表示プログラム１３ｂの処理例を示すフローチャート図である。
【００５６】
本発明の株価・指標表示プログラム１３ｂでは、予め定めた時間間隔（例えば、１００ｍｓｅｃ）毎にＯＳから起動され、更新確認処理５０ａの動作として、外部取得データ１５を参照して表示項目として設定されているデータが更新されているか判断し（１００）、更新があった場合（Ｙｅｓ）に、表示データを更新し（１０２）、パラメータ５２を参照して表示項目が点滅表示するように設定されているか判断し（１０４）、設定されていない場合（Ｎｏ）は、ＯＳを介して描画処理手段５１に表示指示（表示要求イベント）が出力されるようにして、描画処理手段５１によりブラウザ１２を介して、更新されたデータを表示し（１０８）、処理を終了する。
【００５７】
一方、処理１０４において、点滅表示するように設定されている場合（Ｙｅｓ）は、ＯＳを介してブリンク処理５０ｂを起動し、ブリンク処理５０ｂの中で描画処理手段５１に表示指示（表示要求イベント）が出力されるようにして、更新されたデータを点滅表示し（１０６）、処理を終了する。
【００５８】
更新確認処理５０ａの具体的な実現方法の一例を説明する。
ここで、外部取得データ１５に記憶されている最新の株式・指標データがバージョン管理されているものとし、また、パラメータ５２内に、現在表示中の情報のバージョン番号も記憶させて管理しているものとする。
【００５９】
そして、更新確認処理５０ａが予め設定された時間間隔で起動され、表示中のバージョンと外部取得データ１５に記憶されているバージョンとを照合し、違っている場合に、表示項目のデータ値が異なるかを判断して、更新の有無を確認する。
【００６０】
具体例では、外部データ取得プログラム１４によって外部データサーバ３から取得したデータは、銘柄（銘柄コード）毎にその情報のバージョンが管理され、バージョンの情報と共に各項目の最新情報が外部取得データ１５に記憶されているものとする。図８に示すように、各銘柄コードに対して最新のバージョン情報と、各項目Ａ，Ｂ，Ｃ，Ｄ，…（例えば、始値、終値、高値、安値、現在値…）の値が記憶されている。図８は、外部取得データ１５に記憶されているデータのフォーマット及び記憶例を示す説明図である。
【００６１】
ここで、更新確認処理５０ａの処理例について、図９を使って説明する。図９は、本発明の株価・指標表示プログラム１３ｂにおける更新確認処理５０ａの処理例を示すフローチャート図である。
本発明の株価・指標表示プログラム１３ｂにおける更新確認処理５０ａは、ＯＳから１００ｍｓｅｃ毎に起動され、まず、タイマーフラグ（ＴＦ）を０にリセットし（２００）、表示している銘柄について、パラメータ５２に記憶されている表示中のデータのバージョンと外部取得データ１５に記憶されているデータのバージョンとが同一であるか判断し（２０１）、同一である場合には、更新の必要がないとしてそのまま処理２０６に進む。
尚、ここで、タイマーフラグ（ＴＦ）は、ブリンク表示の際の表示パターン（表示／非表示）の切り替え制御に使用する変数である。
【００６２】
一方、処理２０１において、表示中のバージョンと記憶されているバージョンとが同一でない場合（≠）には、表示している項目について内容（データ）に変更があったか判断し（２０２）、内容（データ）に変更が無い場合（Ｎｏ）には、更新の必要がないとしてそのまま処理２０６に進む。
【００６３】
また、処理２０２において、内容（データ）に変更がある場合（Ｙｅｓ）には、パラメータ５２を参照してブリンク表示（点滅表示）の設定であるか判断し（２０３）、ブリンク表示の場合（Ｙｅｓ）には、タイマーフラグ（ＴＦ）にブリンク表示制御のための値（例えば３２）を設定し（２０４）し、ブリンク表示でない場合（Ｎｏ）には、タイマーフラグ（ＴＦ）に２を設定する。
【００６４】
そして、処理２０６において、タイマーフラグ（ＴＦ）の値を判定し（２０６）、ＴＦが２より小さい場合（＜２）には、更新の必要がないとしてそのまま株価・指標表示プログラム１３ｂの処理を終了する。
【００６５】
一方、処理２０６において、ＴＦが２より小さくない場合（≧２）には、ＴＦの値を引き渡してブリンク処理５０ｂが起動されるようにして（２０８）、処理を終了する。
【００６６】
株価・指標表示プログラム１３ｂの動作例を説明すると、例えば、銘柄ａａａの項目Ｃを表示するコンテンツの表示項目部分に対応付けられた株価・指標表示プログラム１３ｂが、現在、バージョン＝１のデータを表示中に起動され、図８に示すように外部取得データ１５に記憶されているデータのバージョンが２の場合には、表示項目Ｃを参照し、表示中のデータに対してデータが更新されている場合には、パラメータ５２にブリンク表示が設定されていると、タイマーフラグ（ＴＦ）にブリンク表示制御のための値（例えば３２）が設定されることになる。
【００６７】
次に、本発明の株価・指標表示プログラム１３ｂにおける更新を示すブリンク（点滅）表示の実現方法について説明する。
本発明の株価・指標表示プログラム１３ｂにおける点滅表示方法は、株価・指標表示プログラム１３ｂにおける更新確認処理５０ａの起動間隔（説明では１００ｍｓｅｃ）をタイマー単位とし、データ表示時間と表示消去時間の繰り返し周期がタイマー単位の倍数となるように表示制御する方法である。
【００６８】
上記点滅表示方法を実現するために本発明の株価・指標表示プログラム１３ｂでは、更新確認処理５０ａの起動間隔（説明では１００ｍｓｅｃ）と同様の間隔でタイマー処理手段５０内のブリンク処理５０ｂを起動し、表示パターン（表示／非表示）の切り替え制御を行うためのＴＦ（タイマーフラグ）を制御してから、実際の描画を行う描画処理手段５１を起動する。
そして、描画処理手段５１がＴＦ（タイマーフラグ）の値に応じて、データ表示又は表示消去の何れかの処理を行い、データ表示と表示消去が繰り返されるように制御する。
【００６９】
本発明のブリンク処理５０ｂ、描画処理手段５１の具体的な実現方法について説明する。
ここでは、ブリンク表現の仕様として、「５００ｍｓｅｃ表示→５００ｍｓｅｃ非表示を１セットとして３回繰り返し表示」の例で説明する。このために、図９では、ブリンク表示の場合にタイマーフラグ（ＴＦ）に３２を設定している。
【００７０】
ブリンク処理５０ｂの一例としては、図１０（ａ）に示すように、予め設定された時間間隔で起動され、更新確認処理５０ａから引き渡されたタイマーフラグ（ＴＦ）の値をデクリメントし（３００）、ＴＦ／５の余りが１か判断し（３０１）、余りが１の場合（Ｙｅｓ）に、ＴＦの値を引き渡してＯＳに描画イベントを発行させて描画処理手段５１を起動させる領域の無効化を行い（３０２）、余りが１でない場合（Ｎｏ）は、そのまま処理を終了する。図１０は、ブリンク表示させるための処理フローを示すフローチャート図である。
【００７１】
そして、描画処理手段５１の具体的な実現方法の一例としては、図１０（ｂ）に示すように、ＯＳからの描画イベントで起動され、ブリンク処理５０ｂから引き渡されたタイマーフラグ（ＴＦ）の値を判断し、値が３１又は２１又は１１又は１の場合に処理（Ａ）として、表示項目部分に更新されたデータを表示する編集処理を行い（４０４）、描画処理を終了する。
【００７２】
一方、処理４００において、タイマーフラグ（ＴＦ）の値が２６又は１６又は６の場合に処理（Ｂ）として、表示項目部分にスペースを表示するスペース表示処理を行い（４０２）、描画処理を終了する。
【００７３】
本発明の株価・指標表示プログラム１３ｂの点滅表示動作について、図１１を使って具体例で説明する。図１１は、点滅表示動作時の状態変化例を示す説明図である。
株価・指標表示プログラム１３ｂの更新確認処理５０ａで、更新発生が検出され、パラメータ５２に点滅表示の設定が為されていると、タイマーフラグ（ＴＦ）に３２が設定されて（図９の処理２０４）、以降ＴＦの値が０になるまで１００ｍｓｅｃ毎にブリンク処理５０ｂが起動される。
【００７４】
１回目の起動時に、ＴＦはデクリメントされて３１になり、５で割った余りが１であることから、描画イベントが発行されて描画処理手段５１が起動され、ＴＦが３１であるから処理（Ａ）で編集処理が行われ、更新されたデータが表示される。
【００７５】
そして、また１００ｍｓｅｃ後にブリンク処理５０ｂが起動され、ＴＦはデクリメントされて３０になり、５で割った余りが１でないことから、そのままブリンク処理５０ｂは終了し、更新されたデータが表示されたままである。
以降１００ｍｓｅｃ毎にブリンク処理５０ｂが起動されるが、ＴＦを５で割った余りが１でない間は、そのままブリンク処理５０ｂは終了し、更新されたデータが表示されたままであり、この間が１回目の５００ｍｓｅｃの表示状態となる。
【００７６】
そして、初回の起動から５００秒後にブリンク処理５０ｂが起動された時に、ＴＦはデクリメントされて２６になり、５で割った余りが１であることから、描画イベントが発行されて描画処理手段５１が起動され、ＴＦが２６であるから処理（Ｂ）でスペース表示が行われ、情報データ表示箇所には表示消去の状態となる。
【００７７】
そして、また１００ｍｓｅｃ後にブリンク処理５０ｂが起動され、ＴＦはデクリメントされて２５になり、５で割った余りが１でないことから、そのままブリンク処理５０ｂは終了し、情報データ表示箇所は表示消去の状態のままである。
以降１００ｍｓｅｃ毎にブリンク処理５０ｂが起動されるが、ＴＦを５で割った余りが１でない間は、そのままブリンク処理５０ｂは終了し、情報データ表示箇所は表示消去の状態のままであり、この間が１回目の５００ｍｓｅｃの非表示状態となる。
【００７８】
上記５００ｍｓｅｃの表示状態と５００ｍｓｅｃの非表示状態とにより、１周期の点滅が行われ、以降ＴＦのデクリメントにより、これを３回繰り返し、最後に、ＴＦがデクリメントされて１になり、５で割った余りが１であることから、描画イベントが発行されて描画処理手段５１が起動され、ＴＦが１であるから処理（Ａ）で編集処理が行われ、更新されたデータが表示され、以降は、ブリンク処理５０ｂが起動されなくなるため、表示状態が継続されることになる。
【００７９】
本発明の情報表示システムによれば、サーバ装置２でコンテンツ番組及び表示スケジュール等を登録し、情報表示装置１からアクセスがあるとコンテンツ番組及び表示スケジュール等を提供し、情報表示装置１内では、外部データ取得プログラム１４が株式・指標等のデータを外部データサーバ３から取得して記憶しておき、サーバ装置２から配信された表示スケジュールに従ってスケジュールプログラム１１がコンテンツを切り替えながら、表示するコンテンツに外部データサーバ３から取得して記憶している株式・指標等のデータを組み込んで編集し、ブラウザ１２を介して表示するので、コンテンツ表示切り替えの度にサーバ装置２にアクセスする必要が無いので、サーバ装置２の負荷が軽減され、また、更新されない部分の情報は頻繁に転送されないので、ネットワーク負荷が軽減できる効果がある。
【００８０】
また、本発明の情報表示システムによれば、コンテンツ内で情報が変化する個々の情報データ表示箇所に対して株価・指標表示プログラム１３ｂを組み込み、情報表示装置１において、表示中のコンテンツの１つ１つの情報データ表示箇所毎に組み込まれた株価・指標表示プログラム１３ｂが、更新確認動作をして最新のデータが表示されるように表示の更新を行うので、当該コンテンツ表示中に図１２に示すように表示中のコンテンツ内でデータ更新があった情報データ表示箇所だけが表示更新されるので、従来のようにコンテンツ全体の再表示に比べて負荷が軽減できる効果がある。図１２は、本発明の表示更新の具体例を示す説明図である。
【００８１】
また、表示中のコンテンツ内でデータ更新があった情報データ表示箇所が随時表示更新されるので、図１３に示すような従来と同様のスケジュールでコンテンツ切替を行う場合、ケース１では従来との差はないが、ケース２の項番７の株式・指標コンテンツ表示中に、最新データを受信した場合においては、次回の表示を待たずに、個々のデータ更新のタイミングからそれほど遅延せずに表示更新され、リアルタイム性を向上できる効果がある。図１３は、スケジュールに従うコンテンツ切替の場合の具体例を示す説明図である。
【００８２】
また、本発明の情報表示システムによれば、コンテンツ内の情報データ表示箇所に表示するデータの種類や表示属性などをユーザが登録するとパラメータとして保持し、各情報データ表示箇所に組み込まれた株価・指標表示プログラム１３ｂがパラメータに従って、外部データサーバ３から取得して記憶している株式・指標等のデータから読み込みコンテンツに組み込んで表示するので、例えば、各銘柄の株式・指標のデータを表示するコンテンツなどにおいて、ユーザが希望する銘柄コードの希望する種類の情報を表示項目部分に設定し、表示できるので、サービス向上に繋がる効果がある。
【００８３】
また、本発明の情報表示システムによれば、コンテンツ内の情報データ表示箇所に設定するパラメータとしてデータの更新があった場合に点滅（ブリンク）表示するか否かを設け、株価・指標表示プログラム１３ｂがパラメータに従って株式・指標等のデータをコンテンツに組み込んで表示する際に、情報データ表示箇所毎に更新のあったデータを点滅表示することができ、情報表示装置１の利用者に更新の有無を強調して効果的に知らしめることができる効果がある。
【００８４】
また、本発明の情報表示システムによれば、情報データ表示箇所毎に組み込まれた株価・指標表示プログラム１３ｂにおいて、タイマー処理手段５０内で予め定めた時間間隔で起動される更新確認処理５０ａが更新の有無を検出し、更新があると表示データを更新するので、時間間隔を例えば１００ｍｓｅｃとすると、データ更新からほぼ１００ｍｓｅｃ以内には表示更新され、表示遅延を軽減して表示データのリアルタイム性を向上できる効果がある。
【００８５】
また、本発明の情報表示システムによれば、情報データ表示箇所毎に組み込まれた株価・指標表示プログラム１３ｂにおいて、タイマー処理手段５０内で予め定めた時間間隔で起動される更新確認処理５０ａが更新の有無を検出し、更新があると表示要求イベントを発行して、描画処理手段５１が描画制御を行うので、コンテンツ内に複数の情報データ表示箇所が存在し、それぞれに対応する株価・指標表示プログラム１３ｂが起動されたとしても、常駐プログラムによって更新を監視するのではなく、定期的に起動される更新確認処理５０ａが更新検出のみを行い、更新が発生していた場合だけ、描画イベントを発行して描画処理手段５１が起動されるため、常駐プログラムによる更新の監視に比べ負荷を軽減し、また更新検出と描画が一体化したプログラムに比べて負荷を軽減でき、表示遅延を回避できる効果がある。
【００８６】
また、本発明の情報表示システムによれば、更新時に点滅（ブリンク）表示を行う場合に、タイマー処理手段５０内で予め定めた時間間隔で起動されるブリンク処理５０ｂが、ブリンク表示を制御するタイマーフラグ（ＴＦ）を処理し、表示パターン（表示／非表示）の切り替えタイミングに表示要求イベントを発行して、描画処理手段５１が描画制御を行うので、コンテンツ内に複数の情報データ表示箇所で更新が発生しブリンク表示する場合であっても、表示パターン（表示／非表示）の切り替えタイミングにだけ描画処理手段５１が起動されるため、常駐プログラムによるブリンク制御に比べ負荷を軽減し、またブリンク制御と描画が一体化したプログラムに比べてブリンク表示に係る負荷を軽減して、表示遅延を回避できる効果がある。
【００８７】
また、タイマー処理手段５０で予め定めた時間間隔により起動される更新確認処理５０ａとブリンク処理５０ｂの起動間隔を同一間隔としているので、タイマー処理の負荷をも軽減できる効果がある。
【００８８】
本発明の情報表示システムによれば、情報表示装置１において、表示中のコンテンツの組み込まれている株価・指標表示プログラム１３ｂのみが起動されるので、変化の激しい情報を表示する情報データ表示箇所が少ないコンテンツを表示中には、起動される株価・指標表示プログラム１３ｂが少なく、システムに対する無駄な負荷を軽減できる効果がある。
【００８９】
【発明の効果】
本発明によれば、サーバ装置が複数のコンテンツ及び各コンテンツ内の変化する情報を表示する情報データ表示箇所に対応して情報データを表示する表示プログラム及びコンテンツを切り替えて表示する表示スケジュールを登録し、情報表示装置からの要求に応じて提供し、情報表示装置が、外部データサーバから最新の情報データを取得して記憶し、サーバ装置から提供された表示スケジュールに従って複数のコンテンツを切り替えて表示し、表示中のコンテンツ内の情報データ表示箇所に対応する各表示プログラムを起動して予め設定された項目に関する記憶されている情報データを表示し、各表示プログラムを以降定期的に起動して、各表示プログラムによって情報データの更新を検出すると最新の情報データに表示を更新する情報表示システムとしているので、利用者が情報データ表示箇所に表示する内容を設定でき、各情報データ表示箇所の内容をリアルタイムに更新表示することができる効果がある。
【００９０】
本発明によれば、情報表示装置が、各表示プログラムによって情報データの更新を検出すると最新の情報データに表示を更新すると共に点滅表示する上記情報表示システムとしているので、更新のあった項目を点滅表示して利用者に更新発生を強調して効果的に知らしめることができる効果がある。
【００９１】
本発明によれば、各表示プログラムによって行う点滅表示の点滅周期制御と、表示プログラムの起動周期制御とを共通のタイマーに基づいて行う上記情報表示システムとしているので、点滅表示制御のための負荷を軽減できる効果がある。
【図面の簡単な説明】
【図１】本発明の情報表示システムの概略構成例を示すブロック図である。
【図２】本発明の株式・指標表示プログラムが組み込まれ他コンテンツの具体例を示す説明図である。
【図３】株価・指標表示プログラムのソフトウェア構成を示すブロック図である。
【図４】本発明の株価・指標表示プログラム内のパラメータ例を示す説明図である。
【図５】本発明におけるパラメータ登録画面例を示す説明図である。
【図６】本発明のパラメータ例を示す説明図である。
【図７】本発明の株価・指標表示プログラムの処理例を示すフローチャート図である。
【図８】外部取得データに記憶されているデータのフォーマット及び記憶例を示す説明図である。
【図９】本発明の株価・指標表示プログラムにおける更新確認処理の処理例を示すフローチャート図である。
【図１０】ブリンク表示させるための処理フローを示すフローチャート図である。
【図１１】点滅表示動作時の状態変化例を示す説明図である。
【図１２】本発明の表示更新の具体例を示す説明図である。
【図１３】スケジュールに従うコンテンツ切替の場合の具体例を示す説明図である。
【図１４】従来の情報表示システムの構成例を示すブロック図である。
【図１５】従来のサーバ装置のデータ配信処理を示すフローチャート図である。
【図１６】従来の情報表示装置のコンテンツ表示処理を示すフローチャート図である。
【図１７】従来の情報表示システムで最新データを表示させる部分の流れを示す説明図である。
【図１８】スケジュールに従うコンテンツ切替の場合の具体例を示す説明図である。
【符号の説明】
１、１′…情報表示装置、  ２、２′…サーバ装置、  ３…外部データサーバ、  ４…情報網、  １１…スケジュールプログラム、  １２…ブラウザ、  １３…コンテンツ、  １３ａ…コンテンツ画面、  １３ｂ…株価・指標表示プログラム、  １４…外部データ取得プログラム、  １５…外部取得データ、  ２１…コンテンツ入力プログラム、  ２２…データ管理プログラム、  ２３…作成データ、  ２４…配信プログラム、  ５０…タイマー処理手段、  ５０ａ…更新確認処理、  ５０ｂ…ブリンク処理、  ５１…描画処理手段、  ５２…パラメータ
【図１】
2004164460.tif 000003
【図２】
2004164460.tif 000004
【図３】
2004164460.tif 000005
【図４】
2004164460.tif 000006
【図５】
2004164460.tif 000007
【図６】
2004164460.tif 000008
【図７】
2004164460.tif 000009
【図８】
2004164460.tif 000010
【図９】
2004164460.tif 000011
【図１０】
2004164460.tif 000012
【図１１】
2004164460.tif 000013
【図１２】
2004164460.tif 000014
【図１３】
2004164460.tif 000015
【図１４】
2004164460.tif 000016
【図１５】
2004164460.tif 000017
【図１６】
2004164460.tif 000018
【図１７】
2004164460.tif 000019
【図１８】
2004164460.tif 000020